【手続補正書】
【提出日】平成15年7月2日(2003.7.2)
【手続補正２】
【補正対象書類名】明細書
【補正対象項目名】特許請求の範囲
【補正方法】変更
【補正の内容】
【特許請求の範囲】
【請求項１】
電力系統の電気量を入力し、ディジタル量に変換して電力系統の保護を行うディジタル保護継電装置において、前記保護継電装置が有する各部位の故障を検出し、故障検出された故障検出項目を出力する故障検出手段と、前記故障検出手段にて出力された故障検出項目からあらかじめ定められた故障検出項目と故障モードとの関係に従い誤動作側の故障と誤不動作側の故障とを区別する故障モード判定手段とを備えたことを特徴とする保護継電装置。
【請求項２】
電力系統の電気量を入力し、ディジタル量に変換して電力系統の保護を行うディジタル保護継電装置において、故障を検出し故障検出項目を出力する故障検出手段と、リレー出力パターンの状態変化を検出するリレー出力パターン状変検出手段と、前記リレー出力パターン状変検出手段の出力と前記故障検出項目の発生の時間関係から因果関係のある１つの事象として故障認識する故障認識手段と、前記故障認識手段にて認識された同一事象内に故障検出とリレー出力のパターン変化があることにより誤作動モードの故障と判定する故障モード判定手段とを備えたことを特徴とする保護継電装置。
【請求項３】
請求項２の保護継電装置において、故障認識手段は故障検出前後の所定時間内のリレー出力パターンの変化に基づき、少なくとも１つ以上の事象と故障認識することを特徴とする保護継電装置。
【請求項４】
電力系統の電気量を入力し、ディジタル量に変換して電力系統の保護を行うディジタル保護継電装置において、故障を検出し故障検出項目を出力する故障検出手段と、前記保護継電装置の出力インターフェイスの出力パターンの状態変化を検出する出力インターフェイス出力パターン状変検出手段と、前記出力インターフェイス出力パターン状変検出手段の出力と前記故障検出項目の発生の時間関係から因果関係のある１つの事象として故障認識する故障認識手段と、前記故障認識手段にて認識された同一事象内に故障検出と出力インターフェイス出力パターン変化があることにより誤動作モードの故障と判定する故障モード判定手段とを備えたことを特徴とする保護継電装置。
【請求項５】
請求項４記載の保護継電装置において、故障認識手段は故障検出前後の所定時間内の出力インターフェイス出力パターンの変化に基づき、少なくとも１つ以上の事象と故障認識することを特徴とする保護継電装置。
【手続補正３】
【補正対象書類名】明細書
【補正対象項目名】０００１
【補正方法】変更
【補正の内容】
【０００１】
【発明の属する技術分野】
本発明は、電力系統設備を保護する保護継電装置に関する。


【手続補正４】
【補正対象書類名】明細書
【補正対象項目名】００１８
【補正方法】変更
【補正の内容】
【００１８】
【課題を解決するための手段】
上記目的を達成するために、本発明の請求項１に係る保護継電装置は、電力系統の電気量を入力し、ディジタル量に変換して電力系統の保護を行うディジタル保護継電装置において、前記保護継電装置が有する各部位の故障を検出し、故障検出された故障検出項目を出力する故障検出手段と、前記故障検出手段にて出力された故障検出項目からあらかじめ定められた故障検出項目と故障モードとの関係に従い誤動作側の故障と誤不動作側の故障とを区別する故障モード判定手段とを備えた。


【手続補正５】
【補正対象書類名】明細書
【補正対象項目名】００２０
【補正方法】変更
【補正の内容】
【００２０】
また、本発明の請求項２に係る保護継電装置は、電力系統の電気量を入力し、ディジタル量に変換して電力系統の保護を行うディジタル保護継電装置において、故障を検出し故障検出項目を出力する故障検出手段と、リレー出力パターンの状態変化を検出するリレー出力パターン状変検出手段と、前記リレー出力パターン状変検出手段の出力と前記故障検出項目の発生の時間関係から因果関係のある１つの事象として故障認識する故障認識手段と、前記故障認識手段にて認識された同一事象内に故障検出とリレー出力のパターン変化があることにより誤作動モードの故障と判定する故障モード判定手段とを備えた。


【手続補正６】
【補正対象書類名】明細書
【補正対象項目名】００２２
【補正方法】変更
【補正の内容】
【００２２】
また、本発明の請求項３に係る保護継電装置は、請求項２において、故障認識手段は故障検出前後の所定時間内のリレー出力パターンの変化に基づき、少なくとも１つ以上の事象と故障認識するようにした。


【手続補正７】
【補正対象書類名】明細書
【補正対象項目名】００２４
【補正方法】変更
【補正の内容】
【００２４】
また、本発明の請求項４に係る保護継電装置は、電力系統の電気量を入力し、ディジタル量に変換して電力系統の保護を行うディジタル保護継電装置において、故障を検出し故障検出項目を出力する故障検出手段と、前記保護継電装置の出力インターフェイスの出力パターンの状態変化を検出する出力インターフェイス出力パターン状変検出手段と、前記出力インターフェイス出力パターン状変検出手段の出力と前記故障検出項目の発生の時間関係から因果関係のある１つの事象として故障認識する故障認識手段と、前記故障認識手段にて認識された同一事象内に故障検出と出力インターフェイス出力パターン変化があることにより誤動作モードの故障と判定する故障モード判定手段とを備えた。


【手続補正８】
【補正対象書類名】明細書
【補正対象項目名】００２６
【補正方法】変更
【補正の内容】
【００２６】
また、本発明の請求項５に係る保護継電装置は、請求項４において、故障認識手段は故障検出前後の所定時間内の出力インターフェイス出力パターンの変化に基づき、少なくとも１つ以上の事象と故障認識するようにした。


【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】変更
【補正の内容】
【００３０】
【発明の実施の形態】
以下、本発明に係る保護継電装置についての実施形態を図１から図８を参照して説明する。


【手続補正１２】
【補正対象書類名】明細書
【補正対象項目名】００３１
【補正方法】変更
【補正の内容】
【００３１】
本発明の請求項１に係る保護継電装置の実施形態を図１を参照して説明する。図１は本発明の基本概念を示す図であり、ディジタル保護継電装置の各部位の故障を検出する故障検出手段８と、検出した故障状態から故障モードを検出する故障モード判定手段９から構成される。


【手続補正１３】
【補正対象書類名】明細書
【補正対象項目名】００３４
【補正方法】変更
【補正の内容】
【００３４】
本発明の請求項２に係る保護継電装置の実施形態を図２を参照して説明する。図２において、図１と同一のものには同一番号を付け説明を省略する。


【手続補正１４】
【補正対象書類名】明細書
【補正対象項目名】００３９
【補正方法】変更
【補正の内容】
【００３９】
次に、本発明の請求項３に係る保護継電装置の実施形態を図３を参照して説明する。本発明によるディジタル保護継電装置のハードウエア構成図は図９と基本的に同様である。図３において、図２及び図９と同一のものには同一番号を付け説明を省略する。


【手続補正１５】
【補正対象書類名】明細書
【補正対象項目名】００４３
【補正方法】変更
【補正の内容】
【００４３】
本発明の請求項４に係る保護継電装置の実施形態は請求項２に係る発明の故障認識手段１２の１つの事象の決定を、故障検出前後所定の時間内にリレー演算１０−１〜１０−ｎの出力変化がある場合に因果関係のある１つの事象と認識する。


【手続補正１６】
【補正対象書類名】明細書
【補正対象項目名】００４８
【補正方法】変更
【補正の内容】
【００４８】
本発明の請求項５に係る保護継電装置の実施形態は請求項３に係る発明の故障認識手段１２の１つの事象の決定を、故障検出前後所定の時間内に出力回路インターフェイス回路５の出力パターン変化がある場合に因果関係のある１つの事象と認識する。


【手続補正１７】
【補正対象書類名】明細書
【補正対象項目名】００５４
【補正方法】変更
【補正の内容】
【００５４】
次に、本発明の更に他の保護継電装置の実施形態を図８を用いて説明する。本実施の形態による保護継電装置の構成図は基本的に図９と同一である。説明において図１及び図９と同一のものには同一番号をつけ説明を省略する。


【手続補正１８】
【補正対象書類名】明細書
【補正対象項目名】００５５
【補正方法】変更
【補正の内容】
【００５５】
図８は本実施の形態の基本概念を示す図であり、バス６の状態を監視するバス監視手段１５と、請求項１に記載の構成要素及び、故障認識手段１２、故障モード判定手段１３から構成される。


【手続補正１９】
【補正対象書類名】明細書
【補正対象項目名】００６０
【補正方法】変更
【補正の内容】
【００６０】
以上のように、従来の保護継電装置では、あらかじめ故障モードが確実に解る故障検出項目のみしか判定できなかったが、本発明の保護継電装置によれば、故障検出手段にて検出した故障検出項目について、あらかじめ設定した故障検出項目と故障検出モードの関係により誤作動側の故障と誤不動作側の故障と誤不動作側の故障を判定し、出力することができる。


【手続補正２０】
【補正対象書類名】明細書
【補正対象項目名】図１
【補正方法】変更
【補正の内容】
【図１】本発明の請求項１の実施形態を示す保護継電装置の基本概念を示す図。


【手続補正２１】
【補正対象書類名】明細書
【補正対象項目名】図２
【補正方法】変更
【補正の内容】
【図２】本発明の請求項２の実施形態を示す保護継電装置の基本概念を示す図。


【手続補正２２】
【補正対象書類名】明細書
【補正対象項目名】図３
【補正方法】変更
【補正の内容】
【図３】本発明の請求項３の実施形態を示す保護継電装置の基本概念を示す図。


【手続補正２３】
【補正対象書類名】明細書
【補正対象項目名】図８
【補正方法】変更
【補正の内容】
【図８】本発明の更に他の実施の形態を示す保護継電装置の基本概念を示す図。